(57)【特許請求の範囲】
【請求項１】
複数の遊技機が設置される設置島に延設され、それぞれの遊技機に対してメダルを搬送して供給するメダル供給搬送手段と、
前記設置島に延設され、それぞれの遊技機から排出されたメダルを回収して搬送するメダル回収搬送手段と、
前記メダル供給搬送手段の終端に配設され、当該メダル供給搬送手段の終端まで搬送されたメダルを前記メダル回収搬送手段に排出させる回収用シュートと、
前記メダル回収搬送手段で回収されたメダルを収容するとともに、前記メダル供給搬送手段にメダルを補給するメダル補給手段と、
を具備し、特定の前記遊技機からのメダルの要求信号を受信したことを条件として、その遊技機に対し、前記メダル供給搬送手段を介して所定量のメダルの供給が行われる遊技機のメダル補給装置であって、
特定の前記遊技機に対するメダルの供給が完了した後、設置島に配設された他の遊技機又は貸出機に対するメダルの補給動作を行わせるとともに、当該補給動作を行わせる他の遊技機又は貸出機は、所定の時間、払い出し又は貸出が行われていないものを除外することを特徴とする遊技機のメダル補給装置。
【請求項２】
前記メダル補給手段は、前記メダル回収搬送手段で回収されたメダルを小径メダルと大径メダルとに選別するメダル選別手段を具備し、当該メダル選別手段で選別された前記小径メダル又は大径メダルを任意選択的に前記メダル供給搬送手段に補給可能とされるとともに、
前記メダル供給搬送手段は、前記メダル補給手段で補給された小径メダルを搬送する小径メダル搬送部、及び前記メダル補給手段で補給された大径メダルを搬送する大径メダル搬送部がそれぞれ形成され、且つ、当該小径メダル搬送部及び大径メダル搬送部の終端において前記メダル回収搬送手段まで排出させ得る共通の回収用シュートが形成されて成ることを特徴とする請求項１記載の遊技機のメダル補給装置。
【発明の詳細な説明】
【技術分野】
【０００１】
本発明は、設置島に設置された複数の遊技機のそれぞれに対してメダルを供給及び回収可能な遊技機のメダル補給装置に関するものである。
【背景技術】
【０００２】
遊技場に設置される設置島には、通常、スロットマシンやコインゲーム機などメダルを投入して遊技するものが並列に設置されたものがある。このようなメダルを使用する遊技機は、遊技の過程において、多数のメダルが供給されるとともに、多数のメダルが排出されるため、当該メダルをそれぞれの遊技機に対して自動的に供給及び回収させるべく、従来より、各設置島において、メダル補給装置が配設されている（特許文献１参照）。
【０００３】
かかる従来のメダル補給装置は、設置島の上部において長手方向に配設され、メダルを搬送しつつ各遊技機にメダルを供給するためのメダル供給搬送手段と、設置島の下部において長手方向に設置され、各遊技機から排出されたメダルを回収しつつ搬送するメダル回収搬送手段と、メダル回収搬送手段で搬送されたメダルを収容するとともに、その回収したメダルを揚送リフトにて揚送し、メダル供給手段にメダルを補給するメダル補給手段とを具備していた。そして、各遊技機にてメダルの要求信号が発信されると、その遊技機に対して所定量のメダルを自動的に補給するよう制御可能とされていた。
【先行技術文献】
【特許文献】
【０００４】
【特許文献１】特開２００５−３４９００９号公報
【発明の概要】
【発明が解決しようとする課題】
【０００５】
しかしながら、上記従来のメダル補給装置においては、以下の如き問題があった。
メダルの要求信号が発信された遊技機（特定の遊技機）に対してメダルの補給が完了した後において、メダル供給搬送手段の途中にメダルが残っている状態があり、このような残ったメダルは、各遊技機に供給されず当該メダル供給搬送手段の終端に配設された回収用シュートまで搬送され、当該回収用シュートを介してメダル回収搬送手段に落下して回収されることとなる。しかるに、特定の遊技機に対するメダルの補給が完了した後、メダル供給搬送手段に多量のメダルが残っている場合、その多量のメダルが連続的に回収用シュートまで搬送されることとなり、当該回収用シュートにメダルが詰まってしまう虞があった。
【０００６】
本発明は、このような事情に鑑みてなされたもので、メダル供給搬送手段の終端に配設された回収用シュートにメダルが詰まってしまうのを回避することができる遊技機のメダル補給装置を提供することにある。
【課題を解決するための手段】
【０００７】
請求項１記載の発明は、複数の遊技機が設置される設置島に延設され、それぞれの遊技機に対してメダルを搬送して供給するメダル供給搬送手段と、前記設置島に延設され、それぞれの遊技機から排出されたメダルを回収して搬送するメダル回収搬送手段と、前記メダル供給搬送手段の終端に配設され、当該メダル供給搬送手段の終端まで搬送されたメダルを前記メダル回収搬送手段に排出させる回収用シュートと、前記メダル回収搬送手段で回収されたメダルを収容するとともに、前記メダル供給搬送手段にメダルを補給するメダル補給手段とを具備し、特定の前記遊技機からのメダルの要求信号を受信したことを条件として、その遊技機に対し、前記メダル供給搬送手段を介して所定量のメダルの供給が行われる遊技機のメダル補給装置であって、特定の前記遊技機に対するメダルの供給が完了した後、設置島に配設された他の遊技機又は貸出機に対するメダルの補給動作を行わせるとともに、当該補給動作を行わせる他の遊技機又は貸出機は、所定の時間、払い出し又は貸出が行われていないものを除外することを特徴とする。
【０００８】
請求項２記載の発明は、請求項１記載の遊技機のメダル補給装置において、前記メダル補給手段は、前記メダル回収搬送手段で回収されたメダルを小径メダルと大径メダルとに選別するメダル選別手段を具備し、当該メダル選別手段で選別された前記小径メダル又は大径メダルを任意選択的に前記メダル供給搬送手段に補給可能とされるとともに、前記メダル供給搬送手段は、前記メダル補給手段で補給された小径メダルを搬送する小径メダル搬送部、及び前記メダル補給手段で補給された大径メダルを搬送する大径メダル搬送部がそれぞれ形成され、且つ、当該小径メダル搬送部及び大径メダル搬送部の終端において前記メダル回収搬送手段まで排出させ得る共通の回収用シュートが形成されて成ることを特徴とする。
【発明の効果】
【０００９】
請求項１記載の発明によれば、特定の遊技機に対するメダルの供給が完了した後、設置島に配設された他の遊技機又は貸出機に対するメダルの補給動作を行わせるので、多量のメダルが連続して集中的にメダル供給搬送手段の終端まで搬送されてしまうのを抑制し、メダル供給搬送手段の終端に配設された回収用シュートにメダルが詰まってしまうのを回避することができる。
【００１０】
請求項２記載の発明は、メダル供給搬送手段は、メダル補給手段で補給された小径メダルを搬送する小径メダル搬送部、及びメダル補給手段で補給された大径メダルを搬送する大径メダル搬送部がそれぞれ形成され、且つ、当該小径メダル搬送部及び大径メダル搬送部の終端においてメダル回収搬送手段まで排出させ得る共通の回収用シュートが形成されて成るので、小径メダル搬送部及び大径メダル搬送部の双方から共通の回収用シュートにメダルが連続的に搬送されてしまうのを回避することができ、当該回収用シュートにメダルが詰まってしまうのを回避することができる。
【００１１】
すなわち、小径メダル搬送部及び大径メダル搬送部を具備するとともに、それら小径メダル搬送部及び大径メダル搬送部の双方から共通の回収用シュートまでメダルが搬送されるものにおいては、当該回収用シュートに多量のメダルが集中的に搬送されて詰まってしまう可能性が高いのに対し、特定の遊技機に対するメダルの供給が完了した後、設置島に配設された他の遊技機又は貸出機に対するメダルの補給動作を行わせることにより、回収用シュートの詰まりを有効的に回避することができるのである。
【図面の簡単な説明】
【００１２】
【図１】本発明の実施形態に係る遊技機のメダル補給装置を示す平面模式図
【図２】同遊技機のメダル補給装置を示す側面模式図
【図３】同遊技機のメダル補給装置におけるメダル補給手段の内部構成を示す正面模式図
【図４】同メダル補給手段の内部構成を示す側面模式図
【図５】同メダル補給手段における振分け手段を示す拡大図
【図６】同遊技機のメダル補給装置におけるメダル供給搬送手段を示す側面模式図
【図７】同メダル供給搬送手段を示す平面模式図
【図８】同メダル供給搬送手段を示す平面拡大図
【図９】同メダル供給搬送手段を示す側面拡大図
【図１０】同メダル供給搬送手段を示す断面図
【図１１】同遊技機のメダル補給装置におけるメダルの補給動作を示すフローチャート
【発明を実施するための形態】
【００１３】
以下、本発明の実施形態について図面を参照しながら具体的に説明する。
本実施形態に係る遊技機のメダル補給装置は、設置島に設置された複数の遊技機のそれぞれに対してメダルを供給及び回収可能なもので、図１〜１０に示すように、設置島Ｋの内部に配設されたメダル供給搬送手段１及びメダル回収搬送手段２と、当該設置島Ｋの一端部に設置されたメダル補給手段３と、当該設置島Ｋの他端部に設置されたメダル計数機４とから主に構成されている。
【００１４】
設置島Ｋは、複数の遊技機Ｈ（スロットマシンやコインゲーム機などメダルを投入して遊技するもの）及びメダルを貸出可能な貸出機Ｊ（プリペイドカードや貨幣又は紙幣を投入して所定量のメダルを貸出可能とされたもの）が並んで設置されたもので、その内側上部における長手方向には、メダル供給搬送手段１が延設されるとともに、内側下部における長手方向には、メダル回収搬送手段２が配設されている。
【００１５】
なお、遊技場においては、通常、設置島Ｋが複数（遊技場によって適宜の数）設置されており、各設置島には、上方に向かって分配タワー（不図示）がそれぞれ形成され、それぞれの分配タワー内にはリフタ（不図示）が配設されるとともに、当該分配タワー間には搬送コンベア等から成る渡り手段（不図示）が配設されている。これにより、一の設置島から隣接する他の設置島にメダル（小径メダル又は大径メダル）を供給することができ、他の設置島におけるメダルの不足を回避することができる。
【００１６】
本実施形態に係る各設置島Ｋには、互いに異なる外径の大径メダル（直径が３０ｍｍのメダル）及び小径メダル（直径が２５ｍｍのメダル）が使用される遊技機Ｈがそれぞれ設置されている。然るに、大径メダルが使用される遊技機Ｈからメダルの要求信号が発信されると、メダル補給手段３がその要求信号に基づいて、大径メダルを使用する遊技機Ｈか小径メダルを使用する遊技機Ｈかを識別して大径メダルをメダル供給搬送手段１に補給する一方、小径メダルが使用される遊技機Ｈからメダルの要求信号が発信されると、メダル補給手段３がその要求信号に基づいて、大径メダルを使用する遊技機Ｈか小径メダルを使用する遊技機Ｈかを識別して小径メダルをメダル供給搬送手段１に補給するよう構成されている。
【００１７】
メダル回収搬送手段２は、設置島Ｋに設置された遊技機Ｈから排出されたメダル（小径メダル及び大径メダル）を回収し、メダル補給手段３まで搬送するためのもので、図２に示すように、一端（図中左端）をメダル補給手段３の筐体３ａ内に臨ませた回収用搬送コンベア２ａを有している。かかる回収用搬送コンベア２ａは、モータＭ１にて駆動可能な駆動ローラＷ１及び従動ローラＷ２に懸架された搬送ベルトを有して成り、各遊技機Ｈから排出されて落下したメダルを受けて、メダル補給手段３内まで搬送し得るよう構成されている。
【００１８】
メダル計数機４は、設置島Ｋに隣接して設けられたもので、内部に遊技者が獲得したメダル（小径メダル及び大径メダル）を投入すると、自動的に計数して出力可能とされたものである。かかるメダル計数機４内には、投入されたメダルを収容するための収容空間Ｕが形成されているとともに、当該収容空間Ｕ内のメダルをメダル計数機４外部に搬送するためのコンベアから成る搬送手段２５が配設されている。そして、搬送手段２５が駆動すると、収容空間Ｕ内のメダル（小径メダル及び大径メダル）が設置島Ｋのシュート２６を介してメダル回収搬送手段２に至るよう構成されている。
【００１９】
メダル補給手段３は、メダル回収搬送手段２で回収されたメダル（小径メダル及び大径メダル）を収容するとともに、メダル供給搬送手段１にメダル（小径メダル又は大径メダル）を補給するためのもので、図３〜５に示すように、主に、メダル選別手段５と、振分け手段６と、第１貯留タンク７と、第２貯留タンク８と、搬送コンベア２１と、洗浄手段９と、リフタ１５とが筐体３ａ内に配設されたものである。
【００２０】
メダル選別手段５は、メダル回収搬送手段２で回収されたメダルを小径メダルと大径メダルとに選別するためのものであり、本実施形態においては、メダル選別手段５ａと５ｂの２つを有している。これらメダル選別手段５ａ、５ｂは、構成及び機能が同一のものから成り、メダル補給手段３の筐体３ａの上部にそれぞれ設置されている。このメダル選別手段５は、メダルを一時的に収容する収容部ａと該収容部ａ内に配設されてモータＭ２にて作動可能な送出し手段（図示せず）とを有しており、当該モータＭ２を駆動させて送出し手段を作動させることにより、収容部ａから１枚ずつメダル（小径メダル及び大径メダル）を送り出し可能とされている。
【００２１】
送り出されたメダルは、収容部ａと連通したメダル通路１６を通過するよう構成されているとともに、図５に示すように、当該メダル通路１６の一部には、小径メダルのみを落下させ得る径の切欠き１６ａが形成されている。而して、メダル選別手段５の収容部ａから送り出されたメダルがメダル通路１６を通過する過程で、大径メダルは、大径メダル通路２９に至るとともに、小径メダルは、切欠き１６ａから落下して小径メダル通路３０に至るようになっている。
【００２２】
更に、図４に示すように、メダル通路１６における切欠き１６ａより上流側には、小径メダル及び大径メダルを検知する検知手段２７が配設されるとともに、小径メダル通路３０にも小径メダルを検知する同様の検知手段２８が配設されている。そして、これら一対の検知手段（２７、２８）がそれぞれ通過するメダルを検知してカウントすることにより、メダル通路１６を通過する小径メダル及び大径メダルの個数（Ｎ１）と、小径メダル通路３０を通過する小径メダルの個数（Ｎ２）を把握することができる。これにより、Ｎ１からＮ２を減算した値が選別された大径メダルの個数であり、Ｎ２が選別された小径メダルの個数であるので、これら個数が補給制御手段２４にて認識されるようになっている。
【００２３】
振分け手段６は、図５に示すように、大径メダル通路２９の所定部位を開閉可能な開閉手段２９ａと、小径メダル通路３０の所定部位を開閉可能な開閉手段３０ａと、揺動によってメダルの落下経路を選択可能な振分け部材３４とから主に構成されている。尚、図中符号３１は、開閉手段３０ａの開閉動作を行わせるソレノイド、符号３３は、振分け部材３４の揺動動作を行わせるソレノイドを示している。また、開閉手段２９ａは、図示しないソレノイド（ソレノイド３１と同様のソレノイド）によって開閉動作が行われるよう構成されている。
【００２４】
然るに、開閉手段２９ａ、３０ａが閉じた状態では、メダル選別手段５で選別された小径メダル及び大径メダルがそれぞれ小径メダル通路３０及び大径メダル通路２９を介してシュート１７に至り、メダル供給搬送手段１の小径メダル搬送部３６ａ、大径メダル搬送部３６ｂにそれぞれ補給される。また、開閉手段２９ａ又は３０ａが開いた状態では、メダル選別手段５で選別された小径メダル及び大径メダルがそれぞれ振分け部材３４に至ることとなる。尚、図中符号３２は、開閉手段３０ａが開いた状態のとき、小径メダルを振分け部材３４まで案内するシュートを示している。
【００２５】
振分け部材３４は、ソレノイド３３を駆動させることにより、図中破線で示した状態と二点鎖線で示した状態とで揺動可能とされており、破線で示した状態では、大径メダルを大径メダル用ジョッキ１８ａに落下させて収容させ、小径メダルを小径メダル用ジョッキ１８ｂに落下させて収容させるとともに、二点鎖線で示した状態では、大径メダルを第１貯留タンク７に落下させて収容させ、小径メダルを第２貯留タンク８に落下させて収容させるものである。尚、図中符号３５は、振分け部材３４で振り分けられた大径メダルを第１貯留タンク７まで案内する通路を示しており、これと同様の通路（図示せず）（小径メダルを第２貯留タンク８まで案内する通路）も第２貯留タンク８側に配設されている。
【００２６】
即ち、振分け手段６の動作によって、メダル選別手段５で選別された小径メダル及び大径メダルを、メダル供給搬送手段１の小径メダル搬送部３６ａ及び大径メダル搬送部３６ｂにそれぞれ補給する経路と、小径メダル用ジョッキ１８ｂ及び大径メダル用ジョッキ１８ａにそれぞれ収容させる経路と、第１貯留タンク７及び第２貯留タンク８にそれぞれ収容させる経路とに切換可能とされているのである。尚、小径メダル用ジョッキ１８ｂ及び大径メダル用ジョッキ１８ａは、それぞれメダル補給手段３から取り外し可能とされており、手作業にて任意の遊技機Ｈにメダルを補給することが可能とされている。
【００２７】
第１貯留タンク７は、メダル選別手段５で選別された小径メダル又は大径メダルの一方を専ら貯留するためのもので、本実施形態においては、大径メダルを専ら貯留可能とされている。かかる第１貯留タンク７は、大径メダルを所定量貯留可能とされており、当該第１貯留タンク７内のメダル（大径メダル）が所定量に達したことを検知する第１検知手段７ａが配設されている。この第１検知手段７ａは、接触式センサ又は非接触式センサ等を用いることができる。
【００２８】
また、第１貯留タンク７は、その底面にメダルを自重にて落下させて吐出可能な吐出口７ｂが形成されるとともに、当該吐出口７ｂは、撹拌手段２０の下端部にて塞がれている。この撹拌手段２０は、螺旋状部材から成り、モータ１９にて回転駆動可能とされてたもので、回転駆動によって第１貯留タンク７内のメダルを撹拌させつつ吐出口７ｂまで導き、当該吐出口７ｂから吐出可能とされている。
【００２９】
第２貯留タンク８は、メダル選別手段５で選別された小径メダル又は大径メダルの他方を貯留（本実施形態においては小径メダルを貯留）するとともに、当該小径メダル及び大径メダルを混合させて貯留可能なものである。即ち、第１貯留タンク７が大径メダルを専ら貯留するのに対し、第２貯留タンク８は、通常状態においては、小径メダルを収容するとともに、所定条件下で、小径メダルと大径メダルとを混合させて貯留可能とされているのである。
【００３０】
また、第２貯留タンク８には、当該第２貯留タンク８内のメダル（小径メダル）が所定量に達したことを検知する第２検知手段８ａが配設されている。この第２検知手段８ａは、第１検知手段７ａと同様、接触式センサ又は非接触式センサ等を用いることができる。更に、第２貯留タンク８は、その底面にメダルを自重にて落下させて吐出可能な吐出口８ｂが形成されるとともに、当該吐出口８ｂは、撹拌手段２０の下端部にて塞がれている。この撹拌手段２０は、第１貯留タンク７内に配設されたものと同様、螺旋状部材から成り、モータ１９にて回転駆動可能とされたもので、回転駆動によって第２貯留タンク８内のメダルを撹拌させつつ吐出口８ｂまで導き、当該吐出口８ｂから吐出可能とされている。
【００３１】
然るに、第２貯留タンク８は、第１貯留タンク７よりメダルの貯留量が多く設定（即ち、第１貯留タンク７より大きな容量）されており、第２貯留タンク８にて小径メダル及び大径メダルを混合させて貯留させる際、より多くのメダルを貯留させることができるようになっている。尚、本実施形態においては、第１貯留タンク７に大径メダルを専ら貯留させるとともに、第２貯留タンク８に小径メダルを貯留させるものとされているが、これに代え、第１貯留タンク７に小径メダルを専ら貯留させるとともに、第２貯留タンク８に大径メダルを貯留させるものとしてもよい。
【００３２】
ここで、本実施形態においては、メダル選別手段で選別された小径メダル又は大径メダルの一方（本実施形態においては大径メダル）を所定量貯留可能な第１貯留タンク７と、第１貯留タンク７と相違するメダルの貯留量とされるとともに、メダル選別手段５で選別された小径メダル又は大径メダルの他方（本実施形態においては小径メダル）を所定量貯留する第２貯留タンク８とを有しており、特に本実施形態においては、第２貯留タンク８は、第１貯留タンク７よりメダルの貯留量が多く設定（即ち、第１貯留タンク７より大きな容量）されている。
【００３３】
而して、設置島Ｋに設置された遊技機において、小径メダルを使用する遊技機Ｈの数と大径メダルを使用する遊技機Ｈの数とに応じて、第１貯留タンク７若しくは第２貯留タンク８の何れに小径メダル又は大径メダルを貯留させるのか任意設定することができる。従って、設置島Ｋに小径メダルを使用する遊技機Ｈと大径メダルを使用する遊技機Ｈとを併設可能とするとともに、当該設置島に設置された遊技機Ｈに対応させつつ小径メダル及び大径メダルを効率的且つスムーズに貯留させることができる。
【００３４】
即ち、設置島Ｋに設置される遊技機Ｈに応じて第１貯留タンク７又は第２貯留タンク８に貯留させるメダルの種類が設定可能とされたので、設置島Ｋに設置された遊技機Ｈにより確実に対応させつつ小径メダル及び大径メダルを更に効率的且つスムーズに貯留させることができるのである。尚、本実施形態においては、第２貯留タンク８は、第１貯留タンク７よりメダルの貯留量が多く設定（即ち、第１貯留タンク７より大きな容量）されているが、これに代えて、第２貯留タンクは、第１貯留タンクよりメダルの貯留量が少なく設定（即ち、第１貯留タンク７より小さな容量）されたものとしてもよい。
【００３５】
搬送コンベア２１は、第１貯留タンク７の吐出口７ｂ下方と第２貯留タンク８の吐出口８ｂ下方とに亘って配設された搬送ベルト２１ａを有したもので、搬送方向を異ならせることが可能とされたものである。而して、搬送コンベア２１の搬送方向を図３中左から右へ設定した場合、第１貯留タンク７の吐出口７ｂ又は第２貯留タンク８の吐出口８ｂから吐出されたメダルが同図中右側へ搬送され、リフタ１５の受け部２３に至る一方、搬送コンベア２１の搬送方向を同図中右から左へ設定した場合、第１貯留タンク７の吐出口７ｂ又は第２貯留タンク８の吐出口８ｂから吐出されたメダルが同図中左側へ搬送され、受け通路２２を介して受け部１０に至るよう構成されている。
【００３６】
洗浄手段９は、メダル回収搬送手段２で回収されたメダルを洗浄するためのもので、整列コンベア１１と、洗浄コンベア１２、１３とを有している。整列コンベア１１は、受け部１０で受けたメダル（小径メダル及び大径メダル）を整列させつつ搬送するものである。この整列コンベア１１の終端側に洗浄コンベア１２が配設されており、更に当該洗浄コンベア１２の終端側に洗浄コンベア１３が続いて配設されている。これら洗浄コンベア１２、１３は、所望の洗浄液で浸された部材をメダル表面及び裏面に押圧させることにより当該メダル表面と裏面とを払拭可能とされたものである。尚、洗浄コンベア１３の終端側には、リフタ１５の受け部１４が形成されており、洗浄コンベア１２、１３にて洗浄されたメダルが受け部１４を介してリフタ１５に至るようになっている。
【００３７】
リフタ１５は、メダル補給手段３の筐体３ａ内において上下に延設された搬送手段から成り、受け部２３又は受け部１４で受けたメダル（小径メダル及び大径メダル）を上方に搬送し、シュート１５ａを介してメダル選別手段５に至らせるためのものである。而して、搬送コンベア２１にて受け部２３に搬送されたメダル及び洗浄手段９にて洗浄されたメダルは、リフタ１５によってメダル選別手段５まで搬送され、小径メダルと大径メダルとに選別されることとなる。
【００３８】
補給制御手段２４は、例えばマイコン等を具備した制御盤から成るもので、各遊技機Ｈからメダルの要求信号を受けるとともに、当該要求信号に応じた動作を行わせ得るものである。例えば、補給制御手段２４が遊技機Ｈ側から大径メダルの要求信号を受信すると、第１貯留タンク７内の撹拌手段２０を動作させるとともに、搬送コンベア２１を左向きの搬送方向にて駆動させる。このとき、振分け手段６の開閉手段２９ａ、３０ａは閉じた状態とされる。これにより、第１貯留タンク７内の大径メダルは、洗浄手段９にて洗浄された後、リフタ１５にて搬送されるとともに、メダル選別手段５にて選別された後、メダル供給搬送手段１に補給される。
【００３９】
また、補給制御手段２４が遊技機Ｈ側から小径メダルの要求信号を受信すると、第２貯留タンク８内の撹拌手段２０を動作させるとともに、搬送コンベア２１を左向きの搬送方向にて駆動させる。このとき、振分け手段６の開閉手段２９ａ、３０ａは閉じた状態とされる。これにより、第２貯留タンク８内の小径メダルは、洗浄手段９にて洗浄された後、リフタ１５にて搬送されるとともに、メダル選別手段５にて選別された後、メダル供給搬送手段１に補給される。
【００４０】
尚、遊技機Ｈ側に急いでメダルを補給させる場合、搬送コンベア２１を右向きの搬送方向にて駆動させる。この場合、第１貯留タンク７又は第２貯留タンク８内のメダルは、洗浄手段９を介さずリフタ１５に至り、当該リフタ１５にて搬送されるとともに、メダル選別手段５にて選別された後、メダル供給搬送手段１に補給されることとなる。而して、本実施形態によれば、第１貯留タンク７又は第２貯留タンク８で貯留された小径メダル又は大径メダルを任意選択的にメダル供給搬送手段１に補給可能とされている。
【００４１】
更に、本実施形態に係るメダル補給手段３は、第１貯留タンク７又は第２貯留タンク８を介さずメダル選別手段５で選別された小径メダル又は大径メダルをメダル供給搬送手段１に補給可能とされている。即ち、補給制御手段２４が遊技機Ｈ側からメダル（小径メダル又は大径メダル）の要求信号を受信したとき、メダル回収搬送手段２にて回収された後、洗浄手段９にて洗浄されたメダルをメダル選別手段５にて選別させ、そのメダルを直接（第１貯留タンク７又は第２貯留タンク８で貯留させることなく）メダル供給搬送手段１に補給することができるのである。これにより、メダル回収搬送手段２で回収された小径メダル又は大径メダルを素早くメダル供給搬送手段１に補給することができる。
【００４２】
更に本実施形態においては、第１検知手段７ａ又は第２検知手段８ａの何れか一方によりメダルが所定量に達したことを検知したことを条件として、その検知がなされた第１貯留タンク７又は第２貯留タンク８内のメダルをメダル供給搬送手段１に補給させるとともに、その補給したメダルをメダル回収搬送手段２にて回収させることにより当該メダルを循環させるよう構成されている。これにより、第１貯留タンク７又は第２貯留タンク８の何れか一方に偏ってメダルが貯留されてしまうのを抑制することができ、より効率的に小径メダル及び大径メダルを貯留させることができる。
【００４３】
また更に、上記の如きメダルの循環時、設置島Ｋに並設されたメダル計数機４内の搬送手段２５（図２参照）を駆動させて当該メダル計数機４で計数されたメダルをメダル回収搬送手段２に至らせて、当該メダル計数機４内のメダルも併せて循環させるようにするのが好ましい。この場合、よりスムーズ且つ確実に第１貯留タンク７又は第２貯留タンク８の一方に偏ってメダルが貯留されてしまうのを抑制することができる。
【００４４】
メダル供給搬送手段１は、メダル補給手段３から補給されたメダル（小径メダル及び大径メダル）をそれぞれの遊技機Ｈに対して搬送して供給するための搬送コンベアから成るもので、図６〜１０に示すように、左右一対に配設された小径メダル搬送部３６ａ及び大径メダル搬送部３６ｂと、これら小径メダル搬送部３６ａ及び大径メダル搬送部３６ｂにおける長手方向に亘って所定位置に配設された供給手段Ａ及びシュート３８と、小径メダル搬送部３６ａ及び大径メダル搬送部３６ｂ（メダル供給搬送手段１）の終端に配設された回収用シュート３９とから主に構成されている。
【００４５】
小径メダル搬送部３６ａ及び大径メダル搬送部３６ｂは、その基端（図６、７中左端）がメダル補給手段３の筐体３ａ内に臨ませて配設されており、当該基端側の従動プーリＲ２、先端（図６、７中右端）側の駆動プーリＲ１に懸架された左右一対の搬送ベルトから成るものである。尚、本実施形態に係る小径メダル搬送部３６ａ及び大径メダル搬送部３６ｂは、テンションプーリＲ３にて所定のテンションが付与されるとともに、駆動プーリＲ１は、モータＭ３の出力軸Ｍａに連結されている。
【００４６】
一方、小径メダルを排出させるシュート１７の下方には、小径メダル搬送部３６ａの基端部が位置するとともに、大径メダルを排出させるシュート１７の下方には、大径メダル搬送部３６ｂの基端部が位置している。而して、モータＭ３を駆動させることにより、小径メダル搬送部３６ａ及び大径メダル搬送部３６ｂを動作させ、シュート１７から排出された小径メダルを小径メダル搬送部３６ａにて搬送させるとともに、シュート１７から排出された大径メダルを大径メダル搬送部３６ｂにて搬送させるよう構成されている。
【００４７】
また、メダル供給搬送手段１は、図１０に示すように、小径メダル搬送部３６ａ及び大径メダル搬送部３６ｂを配設するとともに、後述する供給手段Ａ、シュート３８及び閉塞部材４４を取り付けるための本体１ａを具備しており、かかる本体１ａが設置島Ｋの長手方向に延設されている。この本体１ａにおける遊技機Ｈの設置箇所に対応する部位には、開口１ａａがそれぞれ形成されており、当該開口１ａａの縁部（具体的には、左縁部、右縁部及び下縁部）には、シュート３８或いは閉塞部材４４を係止可能な係止部Ｍが一体形成されている。
【００４８】
更に、図１０に示すように、本体１ａにおける小径メダル搬送部３６ａと大径メダル搬送部３６ｂとの間には、隔壁１ａｂ（隔成手段）が形成されており、当該隔壁１ａｂによって、小径メダル搬送部３６ａと大径メダル搬送部３６ｂとが隔成されている。この隔壁１ａｂは、メダル供給搬送手段１の延設方向に延びて形成された壁部から成る。かかる隔壁１ａｂにより、小径メダル搬送部３６ａと大径メダル搬送部３６ｂとを隔成（分離）し、小径メダル及び大径メダルを同時に搬送させる際、これら小径メダルと大径メダルとが搬送過程で混ざってしまうのを回避することができる。
【００４９】
シュート３８は、本体１ａにおける任意位置の係止部Ｍに係止可能とされたもので、当該係止部Ｍに係止された状態で、所定部位に開口１ａａと通じる開口が形成されており、小径メダル搬送部３６ａ又は大径メダル搬送部３６ｂからのメダル（小径メダル又は大径メダル）を内部に至らせることが可能とされている。然るに、シュート３８を小径メダル搬送部３６ａ側の係止部Ｍ、又は大径メダル搬送部３６ｂ側の係止部Ｍに対して選択的に係止させることができ、任意位置での脱着が自在とされている。また、シュート３８は、その下端の吐出口にフレキシブルチューブから成る補給管Ｔが連結されており、この補給管Ｔを介して各遊技機Ｈと連結されている。而して、シュート３８内に至ったメダル（小径メダル又は大径メダル）は、補給管Ｔを介して遊技機Ｈに供給されるよう構成されている。
【００５０】
供給手段Ａは、小径メダル搬送部３６ａ又は大径メダル搬送部３６ｂで搬送されるメダル（小径メダル又は大径メダル）を所望の位置に係止されたシュート３８に対して選択的に供給可能なもので、本体１ａにおける小径メダル搬送部３６ａ又は大径メダル搬送部３６ｂの上方の部位に脱着自在とされている。かかる供給手段Ａは、ソレノイド４０と、ソレノイド４０により揺動可能な揺動部材４３と、該揺動部材４３に取り付けられたスクレーパ３７とを有している。
【００５１】
より具体的に説明すると、ソレノイド４０の作動軸４０ａには、アーム部４２を介して揺動部材４３が連結されているとともに、当該揺動部材４３は、軸Ｌ１を中心として揺動可能とされている。そして、通常状態（ソレノイド４０への通電がなされない状態）においては、揺動部材４３はコイルスプリング４１の付勢力により、図９中２点鎖線で示した状態とされており、スクレーパ３７が小径メダル搬送部３６ａ又は大径メダル搬送部３６ｂから離間した状態となっている。かかる状態では、小径メダル搬送部３６ａ又は大径メダル搬送部３６ｂで搬送されるメダルは、スクレーパ３７の下方を通過することとなる。
【００５２】
然るに、ソレノイド４０への通電がなされると、作動軸４０ａがコイルスプリング４１の付勢力に抗してアーム部４２を引っ張り、軸Ｌ１を中心として揺動部材４３を揺動させることによりスクレーパ３７を小径メダル搬送部３６ａ又は大径メダル搬送部３６ｂに近接させる。かかる状態では、小径メダル搬送部３６ａ又は大径メダル搬送部３６ｂで搬送されるメダルは、スクレーパ３７と干渉してその部位における開口１ａａ側に搬送の向きが変わることとなり、その開口１ａａの係止部Ｍに取り付けられたシュート３８内に至ることとなる。
【００５３】
本実施形態に係る供給手段Ａ及びシュート３８は、小径メダル搬送部３６ａ側、又は大径メダル搬送部３６ｂ側に任意選択的に取り付けられることにより、遊技機Ｈに対応した任意位置に取り付け可能とされている。即ち、小径メダルを使用する遊技機Ｈに対しては、供給手段Ａ及びシュート３８を小径メダル搬送部３６ａ側に取り付けるとともに、大径メダルを使用する遊技機Ｈに対しては、供給手段Ａ及びシュート３８を大径メダル搬送部３６ｂ側に取り付けることにより、適宜のメダルを供給可能とされているのである。
【００５４】
更に、本実施形態に係る供給手段Ａは、スクレーパ３７の向きを任意変更可能とされている。具体的には、スクレーパ３７は、図８に示すように、揺動部材４３に形成された軸Ｌ２を中心として回動自在とされるとともに、ネジｎにて当該揺動部材４３に対して固定可能とされている。尚、図中の符号４３ａは、スクレーパ３７の回動時、ネジｎの干渉を回避するべく弧状に形成された切欠きを示している。
【００５５】
而して、小径メダル搬送部３６ａ側に取り付けられた供給手段Ａを大径メダル搬送部３６ｂ側に取り付ける場合、或いは大径メダル搬送部３６ｂ側に取り付けられた供給手段Ａを小径メダル搬送部３６ａ側に取り付ける場合、ネジｎを緩めてスクレーパ３７を回動させてその向きを変更した後、ネジｎを再び締めて当該スクレーパ３７を固定させる。これにより、供給手段Ａを小径メダル搬送部３６ａ又は大径メダル搬送部３６ｂの何れにも容易に取り付け可能とされている。また、本実施形態においては、切欠き４３ａの途中でネジｎを締め付けることができることから、スクレーパ３７の角度を任意に調整することができ、メダルの種類に応じたスクレーパ３７の角度とすることができる。
【００５６】
一方、供給手段Ａ及びシュート３８が取り付けられた側と反対側の小径メダル搬送部３６ａ又は大径メダル搬送部３６ｂの開口１ａａには、閉塞部材４４が取り付けられる。かかる閉塞部材４４は、側壁部４４ａと、蓋部４４ｂとが一体的に形成された部材から成り、側壁部４４ａの縁部（具体的には、左縁部、右縁部及び下縁部）を係止部Ｍに係止させることにより、小径メダル搬送部３６ａ又は大径メダル搬送部３６ｂに取り付け可能とされている。
【００５７】
この閉塞部材４４を取り付けた状態においては、側壁部４４ａが開口１ａａを塞ぐとともに、蓋部４４ｂが小径メダル搬送部３６ａ又は大径メダル搬送部３６ｂの上部を覆うようになっている。これにより、小径メダル搬送部３６ａ又は大径メダル搬送部３６ｂにて搬送される過程において、小径メダル又は大径メダルが、供給手段Ａ及びシュート３８が取り付けられた側と反対側の開口１ａａから意図せず溢れ落ちてしまうのを防止することができる。
【００５８】
回収用シュート３９は、メダル供給搬送手段１を構成する小径メダル搬送部３６ａ及び大径メダル搬送部３６ｂの終端に配設され、当該小径メダル搬送部３６ａ及び大径メダル搬送部３６ｂの終端まで搬送されたメダルをメダル回収搬送手段２に排出させるためのものである。より具体的には、回収用シュート３９は、小径メダル搬送部３６ａ及び大径メダル搬送部３６ｂの双方の終端に位置するとともに、その下端の吐出口にフレキシブルチューブから成る補給管Ｔが連結されており、この補給管Ｔを介して下方のメダル回収搬送手段２にメダルを落下させ得るようになっている。
【００５９】
すなわち、本実施形態に係るメダル供給搬送手段１は、小径メダル搬送部３６ａ及び大径メダル搬送部３６ｂの終端においてメダル回収搬送手段２まで排出させ得る共通の回収用シュート３９が形成されており、かかる共通の回収用シュート３９を介して当該小径メダル搬送部３６ａ及び大径メダル搬送部３６ｂで搬送されたメダル（小径メダル及び大径メダル）をメダル回収搬送手段２に排出可能とされているのである。
【００６０】
本実施形態によれば、図１０に示すように、シュート３８、供給手段Ａ及び閉塞部材４４がメダル供給搬送手段１の任意位置に脱着自在とされているため、遊技機Ｈに応じたメダルを適宜供給させることができる。さらに、本実施形態においては、シュート３８、供給手段Ａ及び閉塞部材４４が貸出機Ｊに対応する任意位置にも脱着自在とされて、貸出機Ｊに応じたメダルを適宜供給させることができるようになっている。また、小径メダル搬送部３６ａと大径メダル搬送部３６ｂとが左右に並設されているため、複数の遊技機Ｈに対して、小径メダルの供給と大径メダルの供給とを同時に行わせることができ、メダルの供給を適宜且つスムーズに行わせることができる。特に本実施形態においては、シュート３８が供給手段Ａとは別部材とされているため、シュート３８のみの取り付け位置の変更が容易とされる。
【００６１】
上記構成により、本実施形態においては、メダル供給搬送手段１は、メダル補給手段３で補給された小径メダルを搬送する小径メダル搬送部３６ａと、メダル補給手段３で補給された大径メダルを搬送する大径メダル搬送部３６ｂとを具備することにより、小径メダル及び大径メダルを並行して同時に搬送可能とされ、小径メダルを使用する遊技機と大径メダルを使用する遊技機との両方からメダルの要求信号が発せられた際、その両方の遊技機に対してメダル選別手段５で選別された小径メダル及び大径メダルを同時に搬送させて供給可能とされている。
【００６２】
一方、各遊技機Ｈの内部には、所定量のメダルを収容可能なホッパ（不図示）がそれぞれ配設されており、メダル供給搬送手段１にて搬送された小径メダル又は大径メダル、或いは遊技者が投入した小径メダル又は大径メダルが当該ホッパに収容され、大当たり時や小当たり時において遊技者側に払い出し可能とされている。かかるホッパには、収容されたメダルが所定量より少ないことを検知する検知手段（不図示）が配設されており、当該検知手段による検知に基づき、補給制御手段２４に対してメダルの要求信号を発信し得るようになっている。
【００６３】
また、各遊技機Ｈの隣接した位置には、プリペイドカードや貨幣又は紙幣を投入して所定量のメダルを貸出可能とされた貸出機Ｊが配設されている。かかる貸出機Ｊの内部には、遊技機Ｈと同様、所定量のメダルを収容可能なホッパ（不図示）がそれぞれ配設されており、メダル供給搬送手段１にて搬送された小径メダル又は大径メダルが当該ホッパに収容され、貸出時に投入金額に応じたメダルを排出可能とされている。かかるホッパには、収容されたメダルが所定量より少ないことを検知する検知手段（不図示）が配設されており、当該検知手段による検知に基づき、補給制御手段２４に対してメダルの要求信号を発信し得るようになっている。
【００６４】
ここで、本実施形態に係る遊技機のメダル補給装置は、メダルの要求信号を発信した特定の遊技機Ｈに対するメダルの供給が完了した後、その設置島Ｋに配設された他の遊技機Ｈ又は貸出機Ｊに対するメダルの補給動作を行わせるよう構成されている。より具体的には、補給制御手段２４は、メダルの要求信号を発信した特定の遊技機Ｈに対するメダルの供給が完了したことを条件として、その遊技機Ｈに対応する供給手段Ａによるメダルの供給を停止させた後、当該特定の遊技機Ｈとは異なる他の遊技機Ｈ又は貸出機Ｊに対応する供給手段Ａを所定時間だけ作動させて（すなわち、ソレノイド４０への通電によりスクレーパ３７を小径メダル搬送部３６ａ又は大径メダル搬送部３６ｂに近接させて）、当該他の遊技機Ｈ又は貸出機Ｊのホッパに対して小径メダル搬送部３６ａ又は大径メダル搬送部３６ｂにある小径メダル又は大径メダルを補給させる。
【００６５】
次に、本実施形態に係る補給制御手段２４による制御内容について、図１１のフローチャートに基づいて説明する。
先ず、特定の遊技機Ｈからのメダルの要求信号を受信すると、その特定の遊技機Ｈが小径メダルを使用する遊技機か大径メダルを使用する遊技機かが判別され、その遊技機に応じたメダル（小径メダル又は大径メダル）がメダル補給手段３から選択的に補給されて小径メダル搬送部３６ａ又は大径メダル搬送部３６ｂにて搬送されるとともに、当該特定の遊技機Ｈに対応する供給手段Ａを作動させてメダルを供給する（Ｓ１）。
【００６６】
その後、特定の遊技機Ｈに対するメダルの供給が完了したか否かが判定され（Ｓ２）、完了したと判定されると、Ｓ３に進み、他の遊技機又は貸出機Ｊに対するメダルの補給動作が行われる。このＳ３における補給動作は、小径メダル搬送部３６ａ及び大径メダル搬送部３６ｂの駆動を維持しつつ特定の遊技機Ｈとは異なる他の遊技機Ｈ又は貸出機Ｊに対応する供給手段Ａを作動させ、当該他の遊技機Ｈ又は貸出機Ｊのホッパに対して小径メダル搬送部３６ａ又は大径メダル搬送部３６ｂにある小径メダル又は大径メダルを補給させる動作とされる。
【００６７】
そして、補給動作が所定時間経過したか否かが判定され（Ｓ４）、所定時間経過したと判定されると、特定の遊技機Ｈとは異なる他の遊技機Ｈ又は貸出機Ｊに対応する供給手段Ａにおけるソレノイド４０への通電を停止し、これにより、当該特定の遊技機Ｈとは異なる他の遊技機Ｈ又は貸出機Ｊに対するメダルの補給動作が終了することとなる。なお、Ｓ３におけるメダルの補給動作は、同一の島設備Ｋにおける特定の遊技機Ｈ以外の遊技機Ｈ及び貸出機Ｊ全てを対象として行われるのが好ましいが、例えば同一の島設備Ｋにおける特定の遊技機Ｈより上流側（メダル補給手段３が位置する側）の全ての遊技機Ｈ及び貸出機Ｊを対象としてもよい。
【００６８】
また、Ｓ３におけるメダルの補給動作は、同一の島設備Ｋにおける特定の遊技機Ｈ以外の全ての貸出機Ｊ、又は特定の遊技機Ｈより上流側（メダル補給手段３が位置する側）の全ての貸出機Ｊを対象としてもよい。この場合、Ｓ３のメダルの補給動作は、専ら貸出機Ｊに対して行われこととなるので、メダルの要求信号がない遊技機Ｈに対するメダルの供給を回避することができる。
【００６９】
さらに、遊技機Ｈ及び貸出機Ｊの払出しや貸出しは、各遊技機Ｈ及び貸出機Ｊ毎に信号を出力させているので、上記制御に代えて、Ｓ３におけるメダルの補給動作は、特定の遊技機Ｈに対するメダルの補給が完了した時点で、同一の島設備Ｋにおける他の遊技機Ｈ及び貸出機Ｊのうち、その日の開店から（或いは所定の時間）１度も払出しや貸出しが行われていないものを除外して行わせている。これにより、メダルの保持量がより少ないであろう遊技機Ｈ或いは貸出機Ｊにメダルを補給させることができる。
【００７０】
本実施形態によれば、特定の遊技機Ｈ（メダルの要求信号を発信した遊技機Ｈ）に対するメダルの供給が完了した後、設置島Ｋに配設された他の遊技機Ｈ又は貸出機Ｊに対するメダルの補給動作を行わせるので、多量のメダルが連続して集中的にメダル供給搬送手段１の終端まで搬送されてしまうのを抑制し、メダル供給搬送手段１の終端に配設された回収用シュート３９にメダルが詰まってしまうのを回避することができる。
【００７１】
特に、本実施形態によれば、メダル供給搬送手段１は、メダル補給手段３で補給された小径メダルを搬送する小径メダル搬送部３６ａ、及びメダル補給手段３で補給された大径メダルを搬送する大径メダル搬送部３６ｂがそれぞれ形成され、且つ、当該小径メダル搬送部３６ａ及び大径メダル搬送部３６ｂの終端においてメダル回収搬送手段２まで排出させ得る共通の回収用シュート３９が形成されて成るので、小径メダル搬送部３６ａ及び大径メダル搬送部３６ｂの双方から共通の回収用シュート３９にメダルが連続して集中的に搬送されてしまうのを回避することができ、当該回収用シュート３９にメダルが詰まってしまうのを回避することができる。
【００７２】
すなわち、小径メダル搬送部３６ａ及び大径メダル搬送部３６ｂを具備するとともに、それら小径メダル搬送部３６ａ及び大径メダル搬送部３６ｂの双方から共通の回収用シュート３９までメダルが搬送されるものにおいては、当該回収用シュート３９に多量のメダルが集中的に搬送されて詰まってしまう可能性が高いのに対し、特定の遊技機Ｈに対するメダルの供給が完了した後、設置島Ｋに配設された他の遊技機Ｈ又は貸出機Ｊに対するメダルの補給動作を行わせることにより、回収用シュート３９の詰まりを有効的に回避することができるのである。
【００７３】
以上、本実施形態について説明したが、本発明はこれに限定されるものではなく、例えば同一径のメダル（大径メダル又は小径メダルの何れか一方）が使用される遊技機のみ設置された設置島に適用されたものであってもよい。この場合であっても、特定の遊技機Ｈ（メダルの要求信号を発信した遊技機Ｈ）に対するメダルの供給が完了した後、設置島Ｋに配設された他の遊技機Ｈ又は貸出機Ｊに対するメダルの補給動作を行わせることにより、多量のメダルが連続して集中的にメダル供給搬送手段の終端まで搬送されてしまうのを抑制し、メダル供給搬送手段の終端に配設された回収用シュートにメダルが詰まってしまうのを回避することができる。
【００７４】
また、本実施形態においては、Ｓ３の補給動作が所定時間だけ行われるようになっているが、小径メダル搬送部３６ａ及び大径メダル搬送部３６ｂを駆動させるモータＭ３の回転数等他のパラメータをトリガとして補給動作を停止させるようにしてもよい。さらに、本実施形態においては、補給制御手段２４による制御にてメダルの補給動作（Ｓ３）を行わせているが、他の制御手段にて当該メダルの補給動作を行わせるようにしてもよい。なお、本実施形態においては、メダル補給手段３の筐体３ａ内に洗浄手段９が配設されているが、設置島Ｋ内に配設されたものであってもよく、洗浄手段９を具備しないものとしてもよい。
【産業上の利用可能性】
【００７５】
特定の遊技機に対するメダルの供給が完了した後、設置島に配設された他の遊技機又は貸出機に対するメダルの補給動作を行わせるとともに、当該補給動作を行わせる他の遊技機又は貸出機は、所定の時間、払い出し又は貸出が行われていないものを除外する遊技機のメダル補給装置であれば、外観形状が異なるもの或いは他の機能が付加されたもの等にも適用することができる。
【符号の説明】
【００７６】
１  メダル供給搬送手段
２  メダル回収搬送手段
３  メダル補給手段
４  メダル計数機
５  メダル選別手段
６  振分け手段
７  第１貯留タンク
７ａ  第１検知手段
８  第２貯留タンク
８ａ  第２検知手段
９  洗浄手段
１０  受け部
１１  整列コンベア
１２  洗浄コンベア
１３  洗浄コンベア
１４  受け部
１５  リフタ
１６  メダル通路
１７  シュート
１８ａ  大径メダル用ジョッキ
１８ｂ  小径メダル用ジョッキ
１９  モータ
２０  撹拌手段
２１  搬送コンベア
２２  受け通路
２３  受け部
２４  補給制御手段
２５  搬送手段
２６  シュート
２７  検知手段
２８  検知手段
２９  大径メダル通路
３０  小径メダル通路
３１  ソレノイド
３２  シュート
３３  ソレノイド
３４  振分け部材
３５  通路
３６ａ  小径メダル搬送部
３６ｂ  大径メダル搬送部
３７  スクレーパ
３８  シュート
３９  回収用シュート
４０  ソレノイド
４１  コイルスプリング
４２  アーム部
４３  揺動部材
４４  閉塞部材
Ａ  供給手段
Ｋ  設置島
【図１】
0005922387.tif 000002
【図２】
0005922387.tif 000003
【図３】
0005922387.tif 000004
【図４】
0005922387.tif 000005
【図５】
0005922387.tif 000006
【図６】
0005922387.tif 000007
【図７】
0005922387.tif 000008
【図８】
0005922387.tif 000009
【図９】
0005922387.tif 000010
【図１０】
0005922387.tif 000011
【図１１】
0005922387.tif 000012